(57)【要約】      （修正有）【課題】縦向き及び横向きのフォーク挿入用の開口を具え、並びにけたの構造強度が高められ、強固で耐用性があり、実際の要求に符合し、産業上の利用価値を有する紙製パレットのけたアセンブリの提供。【解決手段】  両側及び中間が下向きに折られて両側の折辺と底折辺を包含する中空縦向きのけたを形成し、デッキボード積載面に組み合わされる底板と、該底板の各けた内の両端及び中間に嵌め込まれた紙製の支持材とを包含し、該両端及び中間の支持材相互間に離間空間が形成され、各けたの両側の折辺に、該離間空間に対応する横向き開口が形成され、パレットにフォークリフトのフォークを縦向き及び横向きに挿入可能とされ、両側の横向き開口に内向きに折り畳まれた底折辺が保留される。【選択図】図２
0003114702.tif 000002
【実用新案登録請求の範囲】
【請求項１】
紙製パレットのけたアセンブリにおいて、該けたアセンブリは、デッキボード積載面に組み合わされる底板であって、両側及び中間が下向きに折られて両側の折辺と底折辺を包含する中空縦向きのけたが形成された上記底板と、該底板の各けた内の両端及び中間に嵌め込まれた紙製の支持材と、を包含し、この両端及び中間の支持材相互間に離間空間が形成され、各けたの両側の折辺に、該離間空間に対応する横向き開口が形成されたことを特徴とする、紙製パレットのけたアセンブリ。
【請求項２】
請求項１記載の紙製パレットのけたアセンブリにおいて、両端と中間の支持材底部に共同で相互に接続された底折板が設けられてけたの底折辺に接着されたことを特徴とする、紙製パレットのけたアセンブリ。
【請求項３】
請求項１又は２記載の紙製パレットのけたアセンブリにおいて、けたの両側の横向き開口に内向きに折り畳まれて接着される底折片が保留されたことを特徴とする、紙製パレットのけたアセンブリ。
【請求項４】
請求項１記載の紙製パレットのけたアセンブリにおいて、底板の両側のけたより上折片が延伸されて、両側のけたの上端を封じることを特徴とする、紙製パレットのけたアセンブリ。
【考案の詳細な説明】
【技術分野】
【０００１】
本考案は一種の紙製パレットのけたアセンブリに係り、特に、矩形紙製パレット底部のけたの組合せ構造に関する。
【背景技術】
【０００２】
ダンボール製のパレットは軽量で、製造コストが低廉で回収である等の多くの長所があるため大量に木製或いは金属製パレットに代わり使用されている。
【０００３】
図１は周知の一般のダンボール製パレット９０を示し、該パレット９０は基本的に、デッキボード９１及びその下方の複数のけた９２を具え、該デッキボード９１は複数層のダンボール或いは厚紙が重畳するよう接着されてなり、全体のパレット９０の強度が増されている。
【０００４】
このパレット９０は図示されるように、両側及び中間の縦向きのけた９２相互間に縦向き開口が形成され、これによりフォークリフトのフォークは縦向きにパレット９０に挿入するしかなく、横向きに挿入することはできない。パレットの脚に横向き開口を増設するなら、各けたを複数の分離ユニットとしなければならず、相対的にけたの構造強度が下がり、脱落しやすくなる。ゆえに周知の紙製パレットは改善の必要がある。
【考案の開示】
【考案が解決しようとする課題】
【０００５】
本考案の目的は、一種の紙製パレットのけたアセンブリを提供することにあり、それは縦向き及び横向きのフォーク挿入用の開口を具え、並びにけたの構造強度が高められ、強固で耐用性があり、実際の要求に符合し、産業上の利用価値を有するものとする。
【０００６】
上述の目的を達成するため、本考案のけた装置は、パレット積載面に組み合わされる底板を包含し、その両側及び中間が下向きに折られて、両側の折辺及びそれに接続された底折辺を包含する中空縦向きけたが形成され、該底板の各けた内の両端及び中間に紙製支持材が嵌め込まれ、該両端及び中間の支持材の間に離間空間が設けられ、各けたの両側の折辺に該離間空間に対応する横向き開口が設けられている。
【０００７】
別の実施例によると、該両端及び中間の支持材底部に共同で底折板が設けられ、けたの底折辺に接着される。
【０００８】
上述の各けたの両側の横向き開口に内向きに折り畳まれ接着された底折辺が保留される。
【０００９】
また別の実施例において、該底板の両側のけたより上折辺が延伸され、両側のけたの上端を封じる。
【課題を解決するための手段】
【００１０】
請求項１の考案は、紙製パレットのけたアセンブリにおいて、該けたアセンブリは、デッキボード積載面に組み合わされる底板であって、両側及び中間が下向きに折られて両側の折辺と底折辺を包含する中空縦向きのけたが形成された上記底板と、該底板の各けた内の両端及び中間に嵌め込まれた紙製の支持材と、を包含し、この両端及び中間の支持材相互間に離間空間が形成され、各けたの両側の折辺に、該離間空間に対応する横向き開口が形成されたことを特徴とする、紙製パレットのけたアセンブリとしている。
請求項２の考案は、請求項１記載の紙製パレットのけたアセンブリにおいて、両端と中間の支持材底部に共同で相互に接続された底折板が設けられてけたの底折辺に接着されたことを特徴とする、紙製パレットのけたアセンブリとしている。
請求項３の考案は、請求項１又は２記載の紙製パレットのけたアセンブリにおいて、けたの両側の横向き開口に内向きに折り畳まれて接着される底折片が保留されたことを特徴とする、紙製パレットのけたアセンブリとしている。
請求項４の考案は、請求項１記載の紙製パレットのけたアセンブリにおいて、底板の両側のけたより上折片が延伸されて、両側のけたの上端を封じることを特徴とする、紙製パレットのけたアセンブリとしている。
【考案の効果】
【００１１】
本考案の紙製パレットのけたアセンブリは多重の組合せ設計を採用し、縦向き及び横向きの開口を具備し、並びに全体の構造強度が高められ、且つ強固で耐用性を具備し、産業上の利用価値を有している。
【考案を実施するための最良の形態】
【００１２】
図２に示されるように、本考案による紙製パレットは、矩形の紙製デッキボード１０、及び該デッキボード１０の底部に設けられる紙製けた装置を具えている。該デッキボード１０は正方形或いは長方形とされ、複数層のダンボール或いは厚紙が重畳するよう接着されてなり、貨物の積載に供される。本実施例の主要な特徴は、該けた装置に縦向き及び横向き開口が設けられ、フォークリフトのフォークの差し込みに便利とされたことである。
【００１３】
図２、３、４に示される本考案の紙製パレットのけたアセンブリは、底板２０及び複数の支持材３１、３２、３３で構成され、該底板２０はデッキボード１０の積載面形状に組み合わされ、底板２０の両側及び中間位置が下向きに折られて両側の折辺２４と該両側の折辺２４と接続された底折辺２５を包含する中空の縦向きのけた２１、２２、２３が形成され、各けた２１、２２、２３内の両端及び中間位置に紙製の支持材３１、３２、３３が離間設置され、パレットの脚アセンブリの各けた２１、２２、２３相互間に縦向き開口が形成されている。
【００１４】
図５に示される底板２０の展開構造、及び図６中のけた２１、２２、２３の設置位置により折線が設けられ、これにより各両側折辺２４及び底折辺２５が規定され、並びに両側の折辺２４に二つの相互に対応する横向き横向き開口２６が形成され、両側のけた２１、２２より外向きに上折辺２７が延伸されている。
【００１５】
底板２０の両側及び中間のけた２１、２２、２３内に、図７に示されるように、両端及び中間の支持材３１、３２、３３が嵌め込まれて接着され、けたアセンブリが構成され、デッキボード１０と確実に接着される。
【００１６】
上述の両端及び中間の支持材３１、３２、３３内部には補強板塊３４が嵌め込まれ、図７に示される補強板塊３４構造中、複数の紙片が併合されてなる板塊体が採用され、これにより構造強度が高められる。
【００１７】
本実施例のけたアセンブリの各けた２１、２２、２３内には両端及び中間の支持材３１、３２、３３が設けられ、並びに両端及び中間の支持材３１、３２、３３相互間に離間空間が形成され、各けた２１、２２、２３の両側の折辺２４に相互に対応する横向き開口２６が形成されて該離間空間に連通し、フォークリフトのフォークを横向きにパレットに差し込むのに供される。また各けた２１、２２、２３と支持材３１、３２、３３の多重組合せ設計によりけたアセンブリの構造強度が高められ、ぐらつきや脱落が防止される。
【００１８】
図６、７に示される実施例中、底板２０の両側のけた２１、２２より外向きに上折辺２７が延伸され、該上折辺２７は図４に示されるように内向きに折られて両側のけた２１、２２の上端を封じ、全体の組合せ強度を増す。
【００１９】
図５、６に示されるように、好ましい実施例にあって、各けた２１、２２、２３の両側の折辺２４に横向き開口２６が形成される時、横向き開口２６の下辺が保留されて、両側の相互に対応する底折片２８が形成され、そのうち一方の底折片２８が先に内向きに折られて底折片２５上に接着され、その後、更に内向きにもう一つの底折片２８が折られて接着され、図２、３に示される重畳補強構造を構成し、これにより全体のけたアセンブリの構造が更に強固とされる。
【００２０】
図８、９に示される別の実施例において、底板２０が折られて両側及び中間のけた２１、２２、２３が形成され、各けた２１、２２、２３の内部両端及び中間の支持材３１０、３２０、３３０が設定間隔で同一の底折板３０上に接着され、並びに底折板３０がけたの対応する底折片２５に接着され、けたアセンブリ構造の強度が増される。
【００２１】
上述の底折板３０は複数の相互に接続された折片３６を包含し（図１０、１１）、折り畳み接着されて長方形板体を構成するのに供され、更に両端及び中間の支持材３１０、３２０、３３０が接着され、支持材３１０、３２０、３３０の内部に紙片が併合されてなる補強板塊３４０が充填されるか（図１０）、或いは図１１に示されるように紙片が折り曲げられてなる補強板塊３５０が充填される。
【００２２】
さらに図８、９に示されるように、好ましい実施例において、各けた２１、２２、２３の両側の横向き開口２６は内向きに折り畳まれ接着された底折片２８を保留し、底折板３０上に重畳するよう接着され、各けた２１、２２、２３、底折片２８と支持材３１０、３２０、３３０及びその底折板３０の多重組合せ設計により、けたアセンブリの構造強度が高められている。
【図面の簡単な説明】
【００２３】
【図１】周知のダンボール製パレットの立体図である。
【図２】本考案の好ましい実施例の紙製パレットとそのけたアセンブリの立体図である。
【図３】図２のけたアセンブリの底から観た立体図である。
【図４】図２のけたアセンブリの立体図である。
【図５】図４のけたアセンブリの底板展開図である。
【図６】図５の底板の折り加工図である。
【図７】図６に続いて各支持材を組み合わせた立体図である。
【図８】本考案の別の実施例のパレット及びそのけたアセンブリの立体図である。
【図９】図８のけたアセンブリの底から観た立体図である。
【図１０】図８の支持材の立体図である。
【図１１】図１０の別の支持材及び底折板の折り加工図である。
【符号の説明】
【００２４】
１０  デッキボード
２０  底板
２１、２２、２３  けた
２４  折辺
２５  底折辺
２６  横向き開口
２７  上折片
２８  底折片
３０  底折板
３１、３２、３３  支持材
３４  補強板塊
３６  折片
３１０、３２０、３３０  支持材
３４０、３５０  補強板塊
【図１】
0003114702.tif 000003
【図２】
0003114702.tif 000004
【図３】
0003114702.tif 000005
【図４】
0003114702.tif 000006
【図５】
0003114702.tif 000007
【図６】
0003114702.tif 000008
【図７】
0003114702.tif 000009
【図８】
0003114702.tif 000010
【図９】
0003114702.tif 000011
【図１０】
0003114702.tif 000012
【図１１】
0003114702.tif 000013